(57)【特許請求の範囲】
【請求項１】
１以上のチャンネルと１以上の時間帯の番組を自動的に記録するとともに、記録してから第１期間が経過した番組を自動的に削除する記録制御部と、
自動的に記録された複数の番組のうち、記録してから前記第１期間が経過しても自動的には削除しない１以上の番組を決定する処理部と、
記録してから前記第１期間が経過する前の自動的に記録された複数の番組の情報を表示する番組リスト上に、記録してから前記第１期間が経過した後で自動的に削除されていない１以上の番組のチャンネルと放送時間に応じて定められる位置に、記録してから前記第１期間が経過した後で自動的に削除されていない１以上の番組が存在することを示す第１情報を表示する表示制御部と、
を具備する電子機器。
【請求項２】
前記番組リストは、チャンネルと放送時間に応じて複数の番組の情報が二次元情報に配置された番組表であって、
前記表示制御部は、前記番組表上に、記録してから前記第１期間が経過した後で自動的に削除されていない１以上の番組のチャンネルと放送時間に応じて定められる位置に、前記第１情報を表示する請求項１に記載の電子機器。
【請求項３】
前記第１情報は、記録してから前記第１期間が経過した後で自動的に削除されていない１以上の番組が存在することを示すマークである請求項１に記載の電子機器。
【請求項４】
前記第１情報は、記録してから前記第１期間が経過した後で自動的に削除されていない１以上の番組が存在することを示すマークと、記録してから前記第１期間が経過した後で自動的に削除されていない１以上の番組の情報の少なくとも一部とを含む請求項１に記載の電子機器。
【請求項５】
自動的に記録された複数の番組のうち、記録してから前記第１期間が経過しても自動的には削除しない１以上の番組は、（１）視聴又は録画予約情報に基づく番組の放送前に生成される情報、（２）視聴率や話題性の情報、または（３）複数のユーザの視聴履歴を集計して得られる情報の少なくとも１以上の情報を用いて決定される請求項１に記載の電子機器。
【請求項６】
自動的に記録された複数の番組のうち、記録してから前記第１期間が経過しても自動的には削除しない１以上の番組は、（１）ソーシャルネットワークサービスにおける投稿数の多さや、放送終了後に放送内容に関連する投稿数が増加度合に関する情報を用いて決定される請求項１に記載の電子機器。
【請求項７】
自動的に記録された複数の番組のうち、記録してから前記第１期間が経過しても自動的には削除しない１以上の番組は、（１）番組又はシーンを検索するために入力されるキーワードに関する情報、または（２）ユーザへのお勧め番組、又はお勧め番組を受けるための設定に関する情報の少なくとも１以上の情報を用いて決定される請求項１に記載の電子機器。
【請求項８】
１以上のチャンネルと１以上の時間帯の番組を自動的に記録するとともに、記録してから第１期間が経過した番組を自動的に削除し、
自動的に記録された複数の番組のうち、記録してから前記第１期間が経過しても自動的には削除しない１以上の番組を決定し、
記録してから前記第１期間が経過する前の自動的に記録された複数の番組の情報を表示する番組リスト上に、記録してから前記第１期間が経過した後で自動的に削除されていない１以上の番組のチャンネルと放送時間に応じて定められる位置に、記録してから前記第１期間が経過した後で自動的に削除されていない１以上の番組が存在することを示す第１情報を表示する方法。
【請求項９】
前記番組リストは、チャンネルと放送時間に応じて複数の番組の情報が二次元情報に配置された番組表であって、
記録してから前記第１期間が経過した後で自動的に削除されていない１以上の番組のチャンネルと放送時間に応じて定められる位置に、前記第１情報を表示する請求項８に記載の方法。
【請求項１０】
前記第１情報は、記録してから前記第１期間が経過した後で自動的に削除されていない１以上の番組が存在することを示すマークである請求項８に記載の方法。
【請求項１１】
前記第１情報は、記録してから前記第１期間が経過した後で自動的に削除されていない１以上の番組が存在することを示すマークと、記録してから前記第１期間が経過した後で自動的に削除されていない１以上の番組の情報の少なくとも一部とを含む請求項８に記載の方法。
【請求項１２】
自動的に記録された複数の番組のうち、記録してから前記第１期間が経過しても自動的には削除しない１以上の番組は、（１）視聴又は録画予約情報に基づく番組の放送前に生成される情報、（２）視聴率や話題性の情報、または（３）複数のユーザの視聴履歴を集計して得られる情報の少なくとも１以上の情報を用いて決定される請求項８に記載の方法。
【請求項１３】
自動的に記録された複数の番組のうち、記録してから前記第１期間が経過しても自動的には削除しない１以上の番組は、（１）ソーシャルネットワークサービスにおける投稿数の多さや、放送終了後に放送内容に関連する投稿数が増加度合に関する情報を用いて決定される請求項８に記載の方法。
【請求項１４】
自動的に記録された複数の番組のうち、記録してから前記第１期間が経過しても自動的には削除しない１以上の番組は、（１）番組又はシーンを検索するために入力されるキーワードに関する情報、または（２）ユーザへのお勧め番組、又はお勧め番組を受けるための設定に関する情報の少なくとも１以上の情報を用いて決定される請求項８に記載の方法。
【発明の詳細な説明】
【技術分野】
【０００１】
この発明は、映像の記憶が可能な電子機器及び方法に関する。
【背景技術】
【０００２】
一定期間の間、設定された複数のチャンネルのテレビジョン放送を録画（記憶）する自動録画機能を有する電子機器が普及している。
【先行技術文献】
【特許文献】
【０００３】
【特許文献１】特開２００８−１４８１５０号公報
【発明の概要】
【発明が解決しようとする課題】
【０００４】
自動録画機能を用いて記憶した番組は、新たな番組の記憶のため、記憶容量の残りが規定量未満になった時点で、記憶日時が古い番組から順に自動的に消去される。
【０００５】
また、利用者が保存を選択していない番組が保存期間経過後に話題となった場合、その番組は、既に自動的に消去されている場合がある。
【０００６】
この発明の一形態の目的は、自動録画機能を有効に活用する電子機器及び方法を提供することである。
【課題を解決するための手段】
【０００７】
実施形態の電子機器は、記録制御部と、処理部と、表示制御部と、を具備する。記録制御部は、１以上のチャンネルと１以上の時間帯の番組を自動的に記録するとともに、記録してから第１期間が経過した番組を自動的に削除する。処理部は、自動的に記録された複数の番組のうち、記録してから前記第１期間が経過しても自動的には削除しない１以上の番組を決定する。表示制御部は、記録してから前記第１期間が経過する前の自動的に記録された複数の番組の情報を表示する番組リスト上に、記録してから前記第１期間が経過した後で自動的に削除されていない１以上の番組のチャンネルと放送時間に応じて定められる位置に、記録してから前記第１期間が経過した後で自動的に削除されていない１以上の番組が存在することを示す第１情報を表示する。
【図面の簡単な説明】
【０００８】
【図１】実施形態に係る電子機器を含むネットワーク上のシステムの一例を示す。
【図２】実施形態に係る電子機器を実現する要素の一例を示す。
【図３】実施形態に係る電子機器が自動録画機能にて記憶した番組を削除処理から除外して保護すべき番組を判定する処理の一例を示す。
【図４】実施形態に係る電子機器が自動録画機能にて記憶した番組を削除せずに保存した番組の表示の一例を示す。
【図５】実施形態に係る電子機器が自動録画機能にて記憶した番組を削除せずに保存した番組の表示の一例を示す。
【図６】実施形態に係る電子機器において、録画済番組マークにより表示される録画済番組の情報の表示の一例を示す。
【図７】実施形態に係る電子機器において、録画済番組マークに付属する録画済番組マークにより表示される録画済番組の情報の表示の一例を示す。
【発明を実施するための形態】
【０００９】
以下、図面を参照して、本発明の実施の一形態について説明する。
【００１０】
図１は、実施形態に係る電子機器を含むネットワーク上のシステムの一例を示す。なお、以下に説明する要素や構成は、マイクロコンピュータ（処理装置、ＣＰＵ（Central Processing Unit））によりソフトウェアで実現するものであってもよいし、ハードウェアで実現するものであってもよい。また、以下の説明において、番組は、ストリームあるいはコンテンツもしくは情報と称する場合もあり、映像に付属する音声あるいは音楽、等からなる。なお、映像は、動画と静止画あるいはテキスト（コード化された符号列で示される文字や記号等で表される情報）及びその任意の組み合わせを含む。また、電子機器が記憶する番組の取得の方法は、番組供給元（放送局）が、例えば空間波（電波）を用いて送信する放送の受信、例えば番組配信元（配信事業者）が、例えば光ファイバ（ケーブル）やインターネット・プロトコル（Internet Protocol）通信網、等のネットワークを用いて配信する番組の取得、例えばネットワーク上の番組提供元（コンテンツサーバ）からのストリーミング映像（ストリーム）の取得及び再生やネットワーク機能を使用する映像転送技術、等、任意である。
【００１１】
図１において、電子機器（以下テレビ装置を例に説明し、テレビ装置と略称する）１０は、ネットワーク１を通じ、ログ収集サーバ２０及びログ集計サーバ３０と接続する。
【００１２】
テレビ装置１０は、アンテナ４０を通じて放送事業者が提供する番組放送波を受信し、あるいは配信網５０を通じて配信事業者が提供する番組を受信し、受信した番組の映像及び音声を再生する。また、テレビ装置１０は、一定期間の間、全てのチャンネルの番組を録画（記憶）する自動録画機能を有し、予め用意された記憶装置に、例えば１週間分の番組を録画することが可能である。なお、記憶装置は、図２を用いて後段に説明するが、テレビ装置１０と一体であってもよいし、テレビ装置１０から分離可能であってもよい。
【００１３】
ログ収集サーバ２０は、ネットワーク１を通じ、ユーザーがテレビ装置１０で実施した番組の視聴や録画などの履歴情報、すなわち操作ログを収集する。すなわち、テレビ装置１０は、操作履歴（履歴情報）をログ収集サーバ２０にアップロードする機能を有する。
【００１４】
ログ収集サーバ２０はまた、ネットワーク１を通じ、他のユーザー、すなわち、上述の操作履歴（履歴情報）をアップロードする機能を有する任意数のテレビ装置１０Ｘ，・・・，１０Ｘから、個々のユーザーの操作履歴を収集する。
【００１５】
ログ集計サーバ３０は、ユーザー（テレビ装置１０）からの要求に基づいて、ログ収集サーバ２０が収集した任意数のテレビ装置１０Ｘ，・・・，１０Ｘ（他のユーザー１，２，・・・，ｎ−１，ｎ（ｎは正の整数））の操作履歴を取得する。なお、ログ集計サーバ３０が取得する操作履歴は、テレビ装置１０すなわちユーザー自身の操作履歴を含む。
【００１６】
ログ集計サーバ３０はまた、取得した操作履歴（履歴情報）を、所定の規則に基づいて集計し、例えば番組視聴ランキング、等の統計情報を算出する。なお、ログ集計サーバ３０は、ネットワーク１を通じて接続可能なさまざまなサービス、例えばＳＮＳ（Social Networking Service）事業者が運営するＳＮＳサーバ６０や、放送事業者や配信事業者が運営する事業者サーバ（局サーバ）７０、あるいはテレビ装置１０の製造元が運営するお勧め（製造元）サーバ８０もしくはコミュニティ（タイムオンサーバ）９０、等が提供する情報も取得し、統計情報の算出に利用する。
【００１７】
ログ集計サーバ３０は、ユーザー（テレビ装置１０）が要求する集計結果に関連のある集計結果をネットワーク１を通じてユーザーが取得可能に、提示する。すなわち、ログ集計サーバ３０は、ユーザーから集計結果の送信要求があった場合、ログ収集サーバ２０が収集したユーザー自身の操作履歴及び上述したさまざまなサービスが提供する情報を参照してユーザーが要求する集計結果に関連する情報を集計する。
【００１８】
図２は、実施形態に係る電子機器（テレビ装置１０）の要素の一例を示す。
【００１９】
テレビ装置１０は、制御部１０１、テレビ信号受信処理部１０２、映像（video）表示処理部１０３、ディスプレイ１０４、保存番組管理部１０５、ネットワーク処理部１０６、録画処理部１０７、再生処理部１０８、操作履歴記録部１０９、操作履歴集計情報記録部１１０、録画番組情報記録部１１１、操作入力部１１２及び音声／音響（audio）出力部１１３、等を含む。
【００２０】
なお、ディスプレイ１０４は、他の各要素と独立に設けられるものであってもよい。また、音声／音響（audio）出力部１１３には、音声／音響（audio）出力部を再生するスピーカ１１４が接続されることにより、ディスプレイ１０４が表示する映像（video）に付属する音声あるいは音響を再生ことができる。
【００２１】
制御部１０１は、例えばリモートコントローラ（以下リモコンと略称する）１１５からのユーザー指示すなわち操作入力部１１２への操作入力に対応して操作入力部１１２が出力する制御コマンドに基づいて、例えばテレビ信号受信処理部１０２、映像表示処理部１０３、ネットワーク処理部１０６、録画処理部１０７、再生処理部１０８、等を制御する。従い、リモコン１１５による制御入力に従い、テレビ装置１０は、例えば番組の視聴（受信と映像表示及び音響再生）、番組の録画、録画されている番組の再生、ネットワーク通信、あるいはを他のユーザーの番組視聴情報（ログ集計サーバ３０からの集計結果）の取得、等、を実現する。これにより、後段に説明するが、自動録画機能を用いて記憶した番組を、所定の条件に基づいて自動的に保存し、その保存の情報を表示することが可能となる。
【００２２】
制御部１０１はまた、ユーザーによる各種操作すなわちリモコン１１５からの制御入力の履歴情報を操作履歴記録部１０９に記録する。なお、履歴情報は、例えば番組の視聴である任意のチャンネルの番組の受信（受信と映像表示及び音響再生）、番組の録画、録画された番組の再生、番組表の表示、番組表によるキーワード（人物、地域、ジャンル、年代、再放送番組、等）の検索、シーン検索（「みどころシーン再生」サービスの利用）、録画予約の設定、「おまかせ録画コミュニティ」サービスの利用により得られるお気に入りのタレントやジャンル、等、ユーザーが予め登録した情報、あるいはネットワーク通信（「クラウドメニュー」サービス／「気になる！シーンリスト・タグリスト」サービスの利用）、等、である。
【００２３】
操作履歴記録部１０９に記録された（操作履歴記録部１０９が保持する）履歴情報は、制御部１０１による制御により、ネットワーク処理部１０６を経由したアップロード（送信）の結果、ネットワーク１上のログ収集サーバ２０に入力する。
【００２４】
制御部１０１はまた、ログ集計サーバ３０が算出した『番組視聴ランキング』、等の統計情報をネットワーク処理部１０６を経由してダウンロード（受信）し、操作履歴集計情報記録部１１０に格納する。
【００２５】
テレビ信号受信処理部１０２及び録画処理部１０７は、その地域で放送される全ての放送局（チャンネル）の番組を同時に受信し、録画番組情報記録部１１１に保存（録画）する。但し、録画可能な番組の数あるいはデータの合計は録画番組情報記録部１１１の記憶容量（保存容量）に依存する。従って、録画する番組の数（データの合計）が保存可能な最大数（記憶容量の残りが規定量未満）に達した場合、録画処理部１０７は、録画日時の古い番組から削除して新規な番組の録画のための保存領域を確保する。なお、録画番組情報記録部１１１は、自動録画機能のために用いる第一の記憶領域と消去指示がない限り記憶した番組を消去することなく保持する第二の記憶領域と、を有する。また、録画番組情報記録部１１１における記憶（書き込み）と移動（読み出し）の能力（転送速度）が、所定の能力よりも大きい（高い）場合、自動録画機能のために用いる第一の記憶領域に記憶されている番組データを第二の記憶領域に移動することなく、第一の記憶領域に記憶されている状態で消去することなく保存することも可能である。
【００２６】
保存番組管理部１０５は、操作履歴集計情報記録部１１０が保持する（ネットワーク１を通じて取得した）他のユーザー（テレビ装置１０Ｘ，・・・，１０Ｘ（他のユーザー１，２，・・・，ｎ−１，ｎ（ｎは正の整数））の操作履歴の統計情報を利用し、録画処理部１０７による番組削除処理から保護すべき録画済の番組の判定処理を実施する。すなわち、保存番組管理部１０５は、操作履歴集計情報記録部１１０を参照して、録画番組情報記録部１１１の第一の記憶領域から自動的に消去される番組の番組名が『番組視聴ランキング』の上位のランキングに記録されている場合、該当する番組を削除対象から除外し、第二の記憶領域に移動する。なお、録画番組情報記録部１１１が保持し、未だ消去されていない番組の番組名が特定できない場合であって、操作履歴集計情報記録部１１０を参照することにより、例えばその番組を特定できる番組に固有の情報（放送日、録画開始時刻、録画終了時刻、チャンネル（放送局名））が『番組視聴ランキング』の上位のランキングに記録されている場合についても、該当する番組を削除対象から除外する（第一の記憶領域から第二の記憶領域に移動する）。
【００２７】
図３（ａ）−（ｃ）は、録画番組情報記録部１１１が保持する録画番組一覧（過去番組表）のうち、削除処理から除外して保護すべき番組を判定する処理の一例を示す。
【００２８】
保存番組管理部１０５は、ログ集計サーバ３０から取得し、操作履歴集計情報記録部１１０が保持する番組視聴ランキング１１０−１（図３（ａ））を参照し、『番組視聴ランキング』内の番組を、録画番組情報記録部１１１が保持する番組一覧の中から探索する。
【００２９】
図３（ｂ）が示す過去番組表（録画番組一覧）すなわち録画番組情報記録部１１１が保持する録画番組一覧１１１−１において、図３（ａ）が示す番組視聴ランキング１１０−１内の番組［ランキング１位（番組Ｅ０１）］１１１−１０、番組［ランキング２位（番組Ａ０２）］１１１−１１、番組［ランキング３位（番組Ｅ０４）］１１１−１２が存在する。従い、保存番組管理部１０５は、該当番組１１１−１０（番組Ｅ０１）、１１１−１１（番組Ａ０２）及び１１１−１２（番組Ｅ０４）を番組削除処理から保護すべき番組と判定し、保護対象の番組として、図３（ｃ）が示す録画番組情報記録部１１１内の保存番組リスト１１１−２に、それぞれ、１１１−２０（番組Ｅ０１）、１１１−２１（番組Ａ０２）、１１１−２２（番組Ｅ０４）として、記載する。
【００３０】
録画処理部１０７は、自動録画機能のために用いる第一の記憶領域に記憶されている番組データの番組削除処理を実行する際に、録画番組情報記録部１１１が保持する保存番組リスト１１１−２を参照し、保存番組リスト１１１−２が保持する番組を第二の記憶領域に移動する。これにより、自動録画機能を用いて記憶した番組を、所定の条件に基づいて自動的に保存することができ、ユーザー保存を選択していない番組が保存期間経過後に話題となった場合においても、その番組を、後日、再生できる。
【００３１】
図４は、自動録画機能にて記憶した番組を削除せずに保存する番組の表示の一例を示す。
【００３２】
図４に模式的に示す録画番組一覧（週間過去番組表）は、録画した全ての番組を時間帯及び日付（曜日）とともに表示するが、その表示において、保存番組管理部１０５が保持する削除対象から除外する番組を、容易に識別可能に、例えば背景色を変える、あるいは保存予定であることを示すマーク（アイコン）、等を付加した表示により表示する。
【００３３】
図４が示す週間過去番組表は、横軸方向において、例えば７チャンネル分、縦軸方向において、例えば５時間分の録画番組を示している。なお、過去番組表が表示する時間帯及び日付（曜日）は、リモコン１１５によるユーザーからの操作入力に従い、スクロールする。また、図４においては、毎日、同じ時間帯を表示した例を示している。
【００３４】
図４が示す画面表示４０１は、今日の午後５時−午後９時の録画番組を示し、画面表示４０８は、時間帯のスクロールまたは日付のジャンプにより、８日前、すなわち今日と同じ曜日の午後５時−午後９時の録画番組を示す。なお、画面表示４０１（今日）における録画表示４１１が示す番組Ａ０２と画面表示４０８（１週前の同じ曜日）における録画表示４８１が示す番組Ａ８２とは、例えば毎日または毎週ほぼ定められた時間に放送される複数回の放送により完結する放送形態の番組（連続番組）である。また、画面表示４０１（今日）における録画表示４１５が示す番組Ｇ１５、同画面表示４０２における録画表示４２５が示す番組Ｇ２５、同４０３における録画表示４３５が示す番組Ｇ３５、同４０４における録画表示４４５が示す番組Ｇ４５、及び画面表示４０８（１週前の同じ曜日）における録画表示４８５が示す番組Ｇ８５は、毎日放送される連続番組である。それぞれの番組は、例えば背景色の変更により、保存番組管理部１０５が保持する削除対象から除外する番組であることが、報知される。
【００３５】
ところで、自動録画機能にて記憶した番組は、録画処理部１０７（図２参照）の制御に従い、録画後、例えば８日目（１週前の同じ曜日）となる時点で自動録画機能のために用いる第一の記憶領域からは消去される。このため、過去番組表についても、８日分までを表示する。従って、自動録画機能のために用いる第一の記憶領域に記憶されている番組データを第二の記憶領域に移動した場合、８日目よりも前の番組は、過去番組表においては、表示されなくなる。
【００３６】
図５は、図４が示す画面表示４０１−４０８の表示する曜日（日付）が１日分変化した例を示す。すなわち、図５においては、画面表示５０１が火曜日の午後５時−午後９時の録画番組を示し、画面表示５０８は、時間帯のスクロールまたは日付のジャンプにより、８日前の火曜日の午後５時−午後９時の録画番組を示す。従って、画面表示５０２が月曜日（昨日）となる。
【００３７】
図５において、画面表示５０２における録画表示５２１が示す番組Ａ１２は、図４における画面表示４０１において録画表示４１１で示したＡ０２に対応する。なお、録画表示５２１は、一週間前の同じ曜日の同じ時間帯に録画した別の番組が保存されていることを示す録画済番組マーク５２２を、所定の位置に含む。
【００３８】
同様に、画面表示５０２における録画表示５２５が示す番組Ｇ１５は、図４における画面表示４０１において録画表示４１５で示した番組Ｇ０５に対応する。なお、録画表示５２５は、一週間前の同じ曜日の同じ時間帯に録画した別の番組が保存されていることを示す録画済番組マーク５２６を、所定の位置に含む。また、番組Ｇ１５は、同じ時間帯に毎日放送されているため、二週間前の同じ時間帯に録画したさらに別の番組が保存されていることを示す録画済番組マーク５２７を、所定の位置に含む。
【００３９】
また、図５における画面表示５２３が示す番組Ｅ１４は、図４における画面表示４０１において録画表示４１３で示した番組Ｅ０４に、同じく画面表示５２４が示す番組Ｅ１１は、図４における画面表示４０１において録画表示４１２で示した番組Ｅ０１に、それぞれ、対応する。なお、画面表示５９１が示す番組Ｂｘ３は、図４における画面表示４０８において録画表示４８２で示した番組Ｂ８２に、画面表示５９２が示す番組Ｄｙ４は、同じく画面表示４０８において録画表示４８３で示した番組Ｂ８４に、画面表示５９３が示す番組Ｅｚ５は、同じく画面表示４０８において録画表示４８４で示した番組Ｅ８５に、画面表示５９４が示す番組Ｆα６は、同じく画面表示４０８において録画表示４８２で示した番組Ｆ８６に、それぞれ、対応する。
【００４０】
ここで、上述の録画済番組マーク５２２及び５２６、５２７は、それぞれ、例えば「おまかせ録画コミュニティ」サービスにより『自動録画』された番組やユーザーが録画予約を設定して録画した『予約録画』の番組と、識別可能であることが好ましい。
【００４１】
図６は、図５に示した録画済番組マークにより表示される録画済番組の情報を、例えばリモコン１１５からのユーザー操作（制御入力）に基づいて、ディスプレイ１０４が表示する表示の一例を示す。
【００４２】
例えば、画面表示５０２における録画表示５２１が示す番組Ａ１２が、毎週同じ時間帯に放送される連続番組やシリーズ番組である場合、録画済番組マーク５２１に付属する録画済番組マーク５２２への操作入力により画面表示を開くと、図６に一例を示すように、録画日時、チャンネル（放送局名）、その番組の放送回数（第ｎ話／第ｎ回）、番組名（タイトル）及びサブタイトル（電子番組表（ＥＰＧ）データ、等において用意されている）、等が所定の形式で表示される。なお、録画済番組マーク５２６、あるいは５２７は、８日前の同じ時間帯に自動録画機能を用いて録画した番組が存在することを示すもので、例えば放送される毎のストーリーが連続性を持つアニメ（アニメーション）番組であることもあるが、例えば放送される時間帯のみが決まっている映画の番組であることもある。このため、アニメや映画等のジャンルを識別可能な特別なアイコン（マーク）を用いて表示することも可能である。
【００４３】
なお、録画済番組マーク５２７に対応する番組は、同じ時間帯に毎日放送されていることにより、自動録画機能を用いて録画した番組が複数存在することを示す。図７において、録画済番組マーク５２５に付属する録画済番組マーク５２７への操作入力により画面表示を開くと、録画日時、チャンネル（放送局名）、その番組の放送回数（第ｎ話／第ｎ回）及び番組名（タイトル）が、１番組を番組毎に１行で表示する所定の形式で表示される。また、ユーザー操作（制御入力）により、任意の番組の画面表示の表示を指示すると、その番組について、図６が示すような１つの番組の情報が表示される。
【００４４】
すなわち、記録してから前記第１期間が経過する前の自動的に記録された複数の番組の情報を表示する番組リスト上に、記録してから前記第１期間が経過した後で自動的に削除されていない１以上の番組のチャンネルと放送時間に応じて定められる位置に、記録してから前記第１期間が経過した後で自動的に削除されていない１以上の番組が存在することを示す第１情報を表示する際に、チャンネルと放送時間に応じて複数の番組の情報が二次元情報に配置された番組表であって、前記表示制御部は、前記番組表上に、記録してから前記第１期間が経過した後で自動的に削除されていない１以上の番組のチャンネルと放送時間に応じて定められる位置に、前記第１情報を表示する。
【００４５】
なお、前記第１情報は、記録してから前記第１期間が経過した後で自動的に削除されていない１以上の番組が存在することを示すマークである。また、前記第１情報は、記録してから前記第１期間が経過した後で自動的に削除されていない１以上の番組が存在することを示すマークと、記録してから前記第１期間が経過した後で自動的に削除されていない１以上の番組の情報の少なくとも一部とを含む。
【００４６】
このように、自動録画機能のために用いる第一の記憶領域から保存のための第二の記憶領域に移動した番組であって週間過去番組表において表示されなくなる８日目よりも前の番組について、週間過去番組表の同じ曜日の同じ時間帯の表示領域に、録画済番組マークを用いてその存在（保存されている番組があること）を表示することにより、ユーザーは、番組の保存期間経過後でも話題となった番組が自動的に保存されていることを認識でき、それによりその番組を視聴することが可能となる。
【００４７】
なお、上述の説明においては、自動録画機能を用いて録画した番組の削除の判定に、『番組視聴ランキング』を使用したが、例えばＳＮＳ事業者が運営するＳＮＳサーバ（ソーシャル機能）６０と連携して、時間当たりの投稿数が多い番組や放送終了後に放送内容に関連する投稿数が増加した番組のランキングを使用することも可能である。すなわち、自動的に記録された複数の番組のうち、記録してから前記第１期間が経過しても自動的には削除しない１以上の番組は、（１）視聴又は録画予約情報に基づく番組の放送前に生成される情報、（２）視聴率や話題性の情報、または（３）複数のユーザの視聴履歴を集計して得られる情報の少なくとも１以上の情報を用いて決定される。また、自動的に記録された複数の番組のうち、記録してから前記第１期間が経過しても自動的には削除しない１以上の番組は、（１）ソーシャルネットワークサービスにおける投稿数の多さや、放送終了後に放送内容に関連する投稿数が増加度合に関する情報を用いて決定される。
【００４８】
また、番組の削除の判定に、例えばお勧め（製造元）サーバ８０（番組／シーン検索機能）やコミュニティ（タイムオンサーバ）９０（番組コミュニティ機能）と連動し、ユーザー（テレビ装置１０）や他のユーザー（テレビ装置１０Ｘ，・・・，１０Ｘ（他のユーザー１，２，・・・，ｎ−１，ｎ））が入力した検索キーワードのランキングやユーザーがコミュニティ登録した番組に関連する情報を使用することも可能である。すなわち、自動的に記録された複数の番組のうち、記録してから前記第１期間が経過しても自動的には削除しない１以上の番組は、（１）番組又はシーンを検索するために入力されるキーワードに関する情報、または（２）ユーザへのお勧め番組、又はお勧め番組を受けるための設定に関する情報の少なくとも１以上の情報を用いて決定される。
【００４９】
以上のことから、ユーザーが保存を選択していない番組であって放送後終了後に人気が上昇した番組についても、ユーザーに、保存のための煩雑な操作を必要とすることなく、自動録画機能のために用いる記憶領域の確保のための削除対象から除外して、保存することができる。また、その保存した番組の存在すなわち保存されていることを、ユーザーに報知でき、ユーザーは、それによりその番組を視聴することが可能となる。
【００５０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５１】
１０…テレビ装置（ユーザー）、１０Ｘ…テレビ装置（他のユーザー）、２０…ログ収集サーバ、３０…ログ集計サーバ、６０…ＳＮＳサーバ、８０…お勧め（製造元）サーバ、１０１…制御部、１０２…テレビ信号受信処理部、１０３…映像表示処理部、１０４…ディスプレイ（表示部）、１０５…保存番組管理部、１０６…ネットワーク処理部、１０７…録画処理部、１０８…再生処理部、１０９…操作履歴記録部、１１０…操作履歴集計情報記録部、１１１…録画番組情報記録部、１１２…操作入力部、１１３…音声／音響出力部、１１４…スピーカ、１１５…リモートコントローラ
【図１】
0006258140.tif 000002
【図２】
0006258140.tif 000003
【図３】
0006258140.tif 000004
【図４】
0006258140.tif 000005
【図５】
0006258140.tif 000006
【図６】
0006258140.tif 000007
【図７】
0006258140.tif 000008